(57)【要約】【課題】、柱への固定位置が異なることによるブレースの固定位置の決定の煩わしさを解消するとともに、ブレース本来の機能である矩形枠構造の補強を十分に発揮させることができるブレース構造およびブレースのもつ前述した問題点を解消するための接続部材を提供することを課題とする。【解決手段】上記課題を解決するため、本発明は、たすき掛けで配置される１対のブレース３０ａ、３０ｂと、ブレース接続部材２０ａ、２０ｂと、柱５０に固定されるブレース受部材１０とを備える構成とした。また、ブレース受部材１０は、柱５０に固定されるベースプレート１５とフック１１ａ、１１ｂとを有し、フック１１ａ、１１ｂは、ベースプレート１５の上面に所定の間隔かつ同じ向きで並列に配置されている構成とした。【選択図】図１
2007132144.tif 000002
【特許請求の範囲】
【請求項１】
柱間に配置されるブレース構造であって、
たすき掛けで配置される１対のブレースと、
前記ブレースの両端に接続されるブレース接続部材と、
前記接続部材に接続されるとともに前記柱に固定されるブレース受部材と、を備え、
前記ブレースは、両端に螺旋溝が形成された結合部を有し、
前記ブレース受部材は、前記柱に固定されるベースプレートと前記ベースプレートの上面に配置されたフックとを有し、
前記ブレース接続部材は、前記ブレース受部材のフックに引っ掛ける引掛部と、前記ブレースの結合部と接続され、該結合部との接続長さによって前記ブレースの軸長さを調整可能である長さ調整部と、を有し、
前記フックは、前記ベースプレートの上面に所定の間隔かつ同じ向きで並列に配置されていることを特徴とするブレース構造。
【請求項２】
ブレースを柱に取り付けるブレース受部材であって、
前記柱に固定されるベースプレートと、
前記ベースプレートの上面に配置されたフックとを備え、
前記フックは、前記ベースプレートの上面に所定の間隔かつ同じ向きで並列に配置されていることを特徴とするブレース受部材。
【請求項３】
前記ベースプレートの長手方向端部の下面に片が形成されていることを特徴とする請求項２に記載のブレース受部材。
【請求項４】
前記ベースプレートの長手方向上部にＵ字状の開放部が形成されていることを特徴とする請求項２または請求項３に記載のブレース受部材。
【請求項５】
請求項２から請求項４に記載のブレース受部材とブレースとを接続するためのブレース接続部材であって、
前記ブレースは、両端に螺旋溝が形成された結合部を有し、
前記ブレース接続部材は、前記ブレース受部材のフックに引っ掛ける引掛部と、
前記ブレースの結合部と接続され、該結合部との接続長さによって前記ブレースの軸長さを調整可能である長さ調整部と
を備えることを特徴とするブレース接続部材。
【請求項６】
前記結合部の螺旋溝は、前記ブレースの外側面に形成され、
前記ブレース接続部材の長さ調整部は、前記結合部が挿入される孔であって、前記結合部の螺旋溝に対応した螺旋溝が前記孔の内側面に形成されていることを特徴とする請求項５に記載のブレース接続部材。
【発明の詳細な説明】
【技術分野】
【０００１】
本発明は、矩形枠構造を構成する柱の間に配置されるブレース構造及び該ブレース構造に用いるブレース受部材及びブレース接続部材に関する。
【背景技術】
【０００２】
矩形枠構造を補強する技術として従来よりブレース（筋かい）を用いることが行われている。ブレースは、両端部を矩形枠構造の対角線上の角部に接合することで矩形枠構造の強度を補うことができる。
【０００３】
ブレースが用いられる場面は様々であり、木造建築物の柱間や、構造物を施工する際に用いる足場などに用いられることが知られている（例えば特許文献１参照）。
【特許文献１】特開２００４−６０２５４号公報
【特許文献２】特開平９−２５０２３５号公報
【発明の開示】
【発明が解決しようとする課題】
【０００４】
上記技術にも開示されているように、ブレースは隣接する柱にたすき掛け状にした状態で２本のブレースを一組として使用するものである。すなわち、両端部を矩形枠構造の対角線上の角部に接合して使用するものであるが、たすき掛け状にして使用する構造であることから矩形枠構造の角部に接合する際に手前側に配置されるブレースと、奥側に配置されるブレースとでは固定位置をずらす必要がある。すなわち、柱に固定される２本のブレースの位置が所定の間隔もってずらして固定されないとブレース同士が接触して摩耗劣化したり、ブレースが変形したりしてブレース本来の機能である矩形枠構造の補強性能を発揮できないといった問題を生ずる。
【０００５】
また、ブレースが用いられる場面は上述した木造建築物の柱間や足場以外に限られるものではない。例えば、近年情報機器の更新が比較的早く行われる状況下では、オフィス等の空間を柱や梁などの部材を用いて情報機器の更新に合わせて再形成することが行われているが、このようなオフィス空間を再形成する各部材は十分な強度を有するとともに取り扱いの容易さや優れたデザイン性も要求される。前記オフィス空間を形成する各部材の組立は、例えば足場の組立が専門業者によって行われるのと異なり一般ユーザによっても容易に行えることが要求される。したがって、ブレースを柱に固定する際には１対で使用される２本のブレース同士が接触しないようにそれぞれをずらして固定する必要があり、この問題点が解消されたブレース構造またはブレース構造の問題を解消するための接続部材の開発が望まれていた。
【０００６】
本発明は、上記問題に鑑みてなされたものであり、ブレース同士の接触を防止するため柱への固定位置を所定の間隔をもってずらす必要があることによるブレースの固定位置の決定の煩わしさを解消するとともに、ブレース本来の機能である矩形枠構造の補強を十分に発揮させることができるブレース構造およびブレースのもつ前述した問題点を解消するための接続部材を提供することを課題とする。
【課題を解決するための手段】
【０００７】
本発明では、上記の課題を解決するため、以下の手段を採用した。すなわち、柱間に配置されるブレース構造であって、たすき掛けで配置される１対のブレースと、前記ブレースの両端に接続されるブレース接続部材と、前記接続部材に接続されるとともに前記柱に固定されるブレース受部材と、を備え、前記ブレースは、両端に螺旋溝が形成された結合
部を有し、前記ブレース受部材は、前記柱に固定されるベースプレートと前記ベースプレートの上面に配置されたフックとを有し、前記ブレース接続部材は、前記ブレース受部材のフックに引っ掛ける引掛部と、前記ブレースの結合部と接続され、該結合部との接続長さによって前記ブレースの軸長さを調整可能である長さ調整部と、を有し、前記フックは、前記ベースプレートの上面に所定の間隔かつ同じ向きで並列に配置されていることを特徴とする。
【０００８】
本発明に係るブレース構造によれば、柱に固定されたブレース受部材上に所定の間隔で配置されたフックにブレース接続部材を介してブレースを接続することで、ブレースの柱への位置決めが的確に行われる。したがって、ブレース同士が接触して摩耗劣化したり、ブレースが変形することを防止して、ブレース本来の機能である矩形枠構造の補強効果が十分に発揮される。なお、柱とは矩形枠構造を構成する柱を意味するものとする。
【０００９】
また、本発明は、ブレースを柱に取り付けるブレース受部材であって、前記柱に固定されるベースプレートと、前記ベースプレートの上面に配置されたフックとを備え、前記フックは、前記ベースプレートの上面に所定の間隔かつ同じ向きで並列に配置されていることを特徴とするブレース受部材である。
【００１０】
このように本発明に係るブレース受部材は、ベースプレートの上面にブレースと接続するためのフックが所定の間隔かつ同じ向きに並列に配置されている。したがって、矩形枠構造の４角にそれぞれ前記ブレース受部材を配置した場合についてみると、対角に位置するブレース受部材については例えば手前側のフックを使用し、他方の対角に位置するブレース受部材については奥側のフックを使用することで矩形枠構造を構成する柱にブレースを容易に配置することが可能となる。また、本発明に係るブレース受部材によれば容易にブレースを柱に取り付けかのうであるとともに一対のブレースの位置決めが的確に行われることから組み立てる者の技量に左右されることなく十分な強度が発揮される。また、本発明係るブレース受け部材は左右略対照の構成とすることが望ましい。これにより、左右の柱で部材が区別されるようなことなく、また上下についても固定する向きを逆にするだけで使用することができ、取り扱いも容易となる。
【００１１】
ベースプレートの形状および材質は特に限定されるものではない。すなわち、材質はブレースの補強効果を損なわない十分な強度を有するものであればよい。また、フックについても材質はベースプレート同様、十分な強度を有するものであればよく特に限定されるわけではない。また、フックの形状については例えば以下のように構成することができる。すなわち、ベースプレート上に設けられた基部と、前記基部から先端部にかけて屈曲する屈曲部を備え、前記基部と前記先端部との間には屈曲部に向けて開放部が形成されているフックとすることができる。前記先端部に例えば環状部材の空洞部分を挿入することで部材を引っ掛けることが可能となる。なお、前記フックの先端部をベースプレートに向けて１０度から２０度傾けることでフックに引っ掛ける部材が外れることを防止することができる。なお、ベースプレートとフックは一体成形してもよいし、別途成形し締結部材を用いて結合する構成としてもよい。また、ベースプレートに所定数の孔を形成し、ボルトなどの締結部材を前記孔に貫通させて柱に固定することができる。所定数の孔は、ブレースを十分に固定することができるように必要に応じて設計することができる。
【００１２】
フックが前記ベースプレートの上面に所定の間隔かつ同じ向きで並列に配置されているとは、フックがフックの先端部が同じ方向を指すとともにフック間に間隔が形成されてベースプレート上に配置されていることを意味する。所定の間隔とは、フックに接続するブレースが接触しない距離を意味し、ブレースの径によって決定することができる。すなわち、ブレースの径よりも所定の間隔を大きくすることでブレース同士の接触を防止することができる。
【００１３】
また、本発明に係るブレース受部材は、前記ベースプレートの長手方向端部の下面に片が形成されていることとすることができる。
【００１４】
例えば、ブレース受部材を配置する柱の長手方向に所定の間隔で前記片に対応する凹部を形成しておくことで、柱に配置する位置すなわち位置決めを容易に行うことができる。したがって、柱の表面に水平に凹部を形成し、前記片もこれに対応するように前記フックの先端方向と略直角の方向に片を形成することが望ましい。また、柱の垂直方向に沿って溝を形成することでも柱に配置する位置の位置決めを容易に行うことができる。
【００１５】
また、本発明に係るブレース受部材は、前記ベースプレートの長手方向上部にＵ字状の開放部が形成されていることととしてもよい。
【００１６】
ベースプレートの長手方向上部にＵ字状の開放部を形成することで、ブレース受部材の軽量化を図ることができる。また、前記フックの先端方向と前記Ｕ字状の開放部が形成される位置を一致させることで、ブレース受部材の柱に固定する際の向きを容易に判断することができる。更に、このような構成とすることでデザイン性にも優れたブレース受部材となる。
【００１７】
また、本発明は、上述したブレース受部材とブレースとを接続するためのブレース接続部材であって、前記ブレースは、両端に螺旋溝が形成された結合部を有し、前記ブレース接続部材は、前記ブレース受部材のフックに引っ掛ける引掛部と、前記ブレースの結合部と接続され、該結合部との接続長さによって前記ブレースの軸長さを調整可能である長さ調整部とを備えることを特徴とするブレース接続部材である。
【００１８】
ブレースの両端に上記ブレース接続部材を接続し、該接続部材を前記ブレース受部材のフックに引っ掛け、更に調整部によってブレースの軸長さを調整することで、ブレースを配置する矩形枠構造の補強を行うことができる。
【００１９】
前記引掛部は、前記ブレース受付部材のフックに引っ掛けることができる形状であれば何でもよく、最も簡易な構成としては例えば環状により構成することができる。また、例えば一対の板状部材の間に棒状部材を前記板状部材と直角に結合する構成としてもよい。この場合は、前記棒状部材に前記フックを引っ掛けることで前記ブレースと前記ブレース受部材とを接続することができる。なお、ブレース接続部材の材質は特に限定されるものではなく、ブレースの補強効果を損なわない十分な強度を有するものであればよい。
【００２０】
前記調整部は、前記ブレースの長さを調整する。予め対角線上のフック間の距離よりも前記ブレース接続部材を含めたブレースの長さを長めに設定しておき、前記ブレースの両端に接続された前記ブレース接続部材の引掛部をフックに引っ掛けた状態で、前記調整部を操作してブレースの長さを短くして矩形枠構造を補強するために必要な適度な長さに調整する。なお、前記調整部の操作は前記ブレースと前記ブレース接続部材を相対的に回転させることで調節することができる。
【００２１】
また、本発明に係るブレース接続部材において、前記結合部の螺旋溝は、前記ブレースの外側面に形成され、前記ブレース接続部材の長さ調整部は、前記結合部が挿入される孔であって、前記結合部の螺旋溝に対応した螺旋溝が前記孔の内側面に形成されていることとしてもよい。
【００２２】
このような構成とすることで、前記ブレースと前記ブレース接続部材とを相対的に回転させることでブレースの長さを調節することができる。また、本発明においては、ブレー
スの両端の外側面に螺旋溝を形成する構成とし、前記ブレース接続部材の調整部をこれに対応する構成としたが、これに限定されるわけではなく逆の構成であってもよい。すなわち、ブレースの両端に軸方向に沿って孔を形成し、該項の内側面に螺旋溝を形成する構成とし、これに対応するように前記ブレース接続部材の調整部を棒形状とし、該棒形状の外側面に螺旋溝を形成する構成としてもよい。なお、前記結合部の螺旋溝は前記ブレースの両端で螺旋溝が形成される向きを逆にすることが好ましい。
【発明の効果】
【００２３】
本発明によれば、ブレース同士の接触を防止して柱への固定を的確に行うことができ、ブレース本来の機能である矩形枠構造の補強を十分に発揮させることができる。
【発明を実施するための最良の形態】
【００２４】
次に、本発明に係るブレース受部材、ブレース接続部材、及びブレース構造の実施形態について図面に基づいて説明する。なお、同一の構成要素については同一の符号を付すことでその詳細な説明を省略する。
【００２５】
図１は、本発明に係るブレース受部材、ブレース接続部材、及びこれらを用いたブレース構造の配置状況を示す図である。同図に示すように、本発明に係るブレース構造４０は、たすき掛け状で配置される２本のブレース３０ａ、３０ｂと、前記ブレース３０ａ、３０ｂの両端に接続されたブレース接続部材２０ａ、２０ｂと、前記ブレース接続部材２０ａ、２０ｂに接続されたブレース受部材１０により構成され、前記ブレース受部材１０は矩形枠構造の柱等に接続される。また、ブレース３０ａ、３０ｂの配置についてより詳しくみると、ブレース３０ａはブレース接続部材２０ａ、２０ｂを介して紙面手前に位置するブレース受部材１０のフック１１ａに接続され（紙面左上）、ブレース３０ｂはブレース接続部材２０ａ、２０ｂを介して紙面奥側に位置するブレース受部材１０のフック１１ａ（紙面左下）に接続されている。なお、本実施例においてはブレース受部材１０において端部に開放部が形成されている側を上向きとして左側のフックを１１ａ、右側のフック１１ｂとする。また、本実施例においてはブレース３０ａ、３０ｂの両端に形成される螺旋溝をそれぞれ異なる向きで形成したことにより、これに接続するブレース接続部材も螺旋溝の方向により２種類用意し、外観の区別を容易にするため一方のブレース接続部材２０ａの側面にラインを形成している。
【００２６】
このように本実施形態に係るブレース構造４０は、並列に配置されたフック１１ａ及び１１ｂを有するブレース受部材１０を備えることでブレース３０ａと３０ｂが接触することなく配置され、矩形枠構造を補強することが可能となる。
【００２７】
次に上述したブレース構造４０を構成するブレース受部材１０及びブレース接続部材２０ａ、２０ｂについて図面に基づいて更に詳細に説明する。
【００２８】
図２は、本実施形態に係るブレース受部材１０を示す斜視図である。同図に示すように本実施形態に係るブレース受部材１０は、ベースプレート１５と、ベースプレート１５に配置されたフック１１ａ及び１１ｂにより構成されている。フック１１ａおよび１１ｂは所定の間隔ｄをもって、同方向に並列に配置されている。このような構成とすることで、対角に位置するブレース受部材１０については例えば手前側のフック１１ａを使用し、他方の対角に位置するブレース受部材１０については奥側のフック１１ｂを使用することで矩形枠構造にブレース３０ａ、３０ｂとの接触を防止して容易に配置することが可能となる。また、本発明に係るブレース受部材１０によれば容易にブレース３０ａ、３０ｂを矩形枠構造に取り付けられるばかりでなく、たすき掛け状で使用される一対のブレース３０ａ、３０ｂの位置決めが行われていることから組み立てる者の技量に左右されることなく十分な強度が発揮される。
【００２９】
また、図２に示すように本実施形態に係るブレース受部材１０は、ボルト等の締結部材を貫通させるための孔１３、片１２、Ｕ字状の開放部１６を更に備える構成である。孔１３にボルト等の締結部材を貫通させて柱等に固定することができる。片１２は、例えば、ブレース受部材１０を固定する柱の長手方向に所定の間隔で前記片１２に対応する凹部を予め形成しておくことで、柱に固定する位置すなわち位置決めを容易に行うことができる。また、Ｕ字状の開放部１６を同図に示すようにベースプレート１５の長手方向上部に形成することで、ブレース受部材１０の軽量化を図ることができる。さらに、前記フック１１ａおよび１１ｂの先端方向と前記Ｕ字状の開放部１６が形成される位置を一致させることで、開放部１６の位置を確認することでブレース受部材１０の向き、すなわちフック１１ａ、１１ｂの向きを容易に判断することができる。
【００３０】
図３は、本実施形態に係るブレース受部材１０を示す図である。図３（ａ）は上面図、（ｂ）は側面図、（ｃ）は（ａ）におけるＡ−Ａ断面図である。（ａ）および（ｂ）に示すようにフック１１ａおよび１１ｂは所定の間隔ｄをもってベースプレート１５上に配置されいる。前記間隔ｄはブレース３０ａ、３０ｂの径より大きい値とすることが望ましく、このような値とすることでブレース３０ａとブレース３０ｂの接触を防止することができる。また、フック１１ａ、１１ｂの形状についてみると、（ｂ）に示すようにベースプレート１５上に設けられた基部１１ａ１と、前記基部１１ａ１から先端部１１ａ３にかけて屈曲する屈曲部１１ａ２を備え、前記基部１１ａ１と前記先端部１１ａ３との間には屈曲部１１ａ２に向けて開放部１１ａ４が形成されている。なお、本実施形態においてはフック１１ａ、１１ｂとベースプレート１５を締結部材１４を用いて結合し、締結部材１４の背部をベースプレート１５の裏面より突出させることとした。ブレース受部材１０を固定する柱の表面に前記締結部材１４の背部に対応する凹を予め形成しておくことで、片１２とともに柱への位置決めがより正確に行うことができる。
【００３１】
図４は、本実施形態に係るブレース接続部材２０ａ、２０ｂを示す図である。（ａ）は、本実施形態に係るブレース接続部材２０ａ、２０ｂの斜視図、（ｂ）は、断面図である。（ａ）に示すように本実施形態に係るブレース接続部材２０ａ、２０ｂは、ブレース受部材１０のフック１１ａ、１１ｂと接続するための引掛部２１と、ブレース３０ａ、３０ｂと接続し、ブレース３０ａ、３０ｂの長さを調整する長さ調整部２３を備える。また、本実施形態においては一対の板状部材２２ａ、２２ｂの間に棒状部材からなる引掛部２１を前記板状部材２２ａ、２２ｂと直角に結合する構成とした。また、（ｂ）に示すように長さ調整部２３は、ブレース３０ａ、３０ｂの両端の表面に形成された螺旋溝（結合部）に接続できるように孔の内側面に前記ブレース３０ａ、３０ｂの両端の表面に形成された螺旋溝に対応する螺旋溝を形成した。このような構成とすることにより、ブレース３０ａ、３０ｂとブレース接続部材２０ａ、２０ｂを相対的に回転することによりブレース３０ａ、３０ｂの長さを容易に調整することが可能となる。なお、長さ調整部２３に形成される螺旋溝は、ブレース３０ａ、３０ｂの両端の表面に形成された螺旋溝が異なる向きで形成されていることに対応させるため、ブレース接続部材３０ａと３０ｂでは異なる向きで形成する。
【００３２】
次に本発明に係るブレース構造４０を実際に適用した場合について図面に基づいて説明する。図５は、本発明に係るブレース構造４０をオフィスの空間構造体１００に適用した例、図６は図５に示すブレース構造の拡大図である。
【００３３】
図５に示すように、本実施形態に係るブレース構造４０はオフィスの空間構造体１００に用いることが可能であり、前記空間構造体１００に用いることで該空間構造体１００の補強効果を発揮する。また、本実施例に係るブレース受部材１０のフック１１ａ、１１ｂにそれぞれブレース３０ａ、３０ｂをブレース接続部材２０ａ、２０ｂを介して接続する
ことで、ブレース３０ａ、３０ｂが接触することなく配置することが可能となる。
【００３４】
次に、図１、図２および図６に基づいて本実施形態に係るブレース構造４０の組立方法について説明する。まず、柱５０の表面にブレース受部材１０を４機固定する。柱５０の表面には予め片１２（図２参照）に対応する凹部を所定の間隔で形成しておくことが望ましい。これにより、片１２を前記溝に勘合させることで容易に位置決めを行うことが可能となる。なお、柱５０への固定はボルトなどの締結部材を用いて行うことができる。ブレース受部材１０の柱への固定向きは、柱５０の上側に固定するブレース受部材１０はフックの先端方向を上に向けて固定し、柱の下側に固定するブレース受部材１０は、フックの先端方向を下に向けて固定する。換言すると、対角すなわちブレース３０ａ、３０ｂの両端でブレース受部材１０を上下逆向きにして柱５０に固定する。なお、本実施形態に係るブレース受部材１０は、開放部１６が設けられているので、上下の向きを開放部１６によっても容易に判断することができる。
【００３５】
ブレース受部材１０の柱５０への固定が完了したら、次にブレース３０ａ、３０ｂをブレース受部材１０に接続する。たすき掛け状に配置するブレース３０ａ、３０ｂのうち、紙面奥側に配置されるブレース３０ｂの一端を紙面左上のブレース受部材１０のフック１１ｂに、他端を紙面右下のブレース受部材１０のフック１１ｂに、それぞれブレース接続部材２０ａ、２０ｂの引掛部２１を介して接続する。ブレース３０ｂの接続が完了後、紙面手前側のブレース３０ａを同様の手順により接続する。なお、予め対角線上のフック間の距離よりも前記ブレース接続部材２０ａ、２０ｂを含めたブレース３０ａ、３０ｂの長さを長めに設定しておき、前記ブレース３０ａ、３０ｂの両端に接続された前記ブレース接続部材２０ａ、２０ｂの引掛部２１をフック１１ａ、１１ｂに引っ掛けた状態で、ブレース３０ａ、３０ｂと前記ブレース接続部材２０ａ、２０ｂを相対的に回転させて短くして柱５０を有する矩形枠構造の補強をするために必要な適度な長さに調整する。このように非常に簡易な工程で、ブレース３０ａ及びブレース３０ｂが接触しないとともに十分な補強効果を備えるブレース構造４０を組み立てることができる。
【００３６】
以上、本発明の好適な実施形態を説明したが、本発明に係るブレース受部材、ブレース接続部材、およびこれらを用いたブレース構造はこれらに限らず、可能な限りこれらの組合せを含むことができる。
【図面の簡単な説明】
【００３７】
【図１】本実施形態に係るブレース受部材、ブレース接続部材、及びこれらを用いたブレース構造の配置状況を示す図である。
【図２】本実施形態に係るブレース受部材１０を示す斜視図である。
【図３】本実施形態に係るブレース受部材１０を示す図である。
【図４】本実施形態に係るブレース接続部材２０ａ、２０ｂを示す図である。
【図５】本実施形態に係るブレース構造４０をオフィスの空間構造１００に適用した例を示す図である。
【図６】図５に示すブレース構造の拡大図である。
【符号の説明】
【００３８】
１０・・・ブレース受部材
１１ａ、１１ｂ・・・フック
１２・・・片
１３・・・孔
１４・・・締結部材
１５・・・ベースプレート
１６・・・開放部
２０ａ、２０ｂ・・・ブレース接続部材
２１・・・引掛部
２２ａ、２２ｂ・・・板状部材
２３・・・長さ調整部
３０ａ、３０ｂ・・・ブレース
４０・・・ブレース構造
５０・・・柱
１００・・・空間構造体
【図１】
2007132144.tif 000003
【図２】
2007132144.tif 000004
【図３】
2007132144.tif 000005
【図４】
2007132144.tif 000006
【図５】
2007132144.tif 000007
【図６】
2007132144.tif 000008